(57)【特許請求の範囲】
【請求項１】
魚釣りに用いるルアーであって、
ルアー本体と、
前記ルアー本体に形成され、水流を受けて前記ルアー本体を左右に振らせる水受部と、
前記ルアー本体の幅方向に貫通し且つ幅方向に平行に形成され水が通過可能な孔部と
を備えたルアー。
【請求項２】
前記ルアー本体は魚に似せて形成された薄板状部材であり、
前記水受部は前記ルアー本体頭部に形成されている、
請求項１に記載のルアー。
【請求項３】
前記孔部は、前記ルアー本体の幅方向に平行に複数並んで形成されている、
請求項１または２に記載のルアー。
【請求項４】
前記孔部は、前記ルアー本体の腹部と背部とにそれぞれ設けられている、
請求項１から３のいずれかに記載のルアー。
【請求項５】
前記ルアー本体は中空であり、
前記孔部は、前記ルアー本体の腹部において中空部分の下方を幅方向に貫通している、
請求項１から３のいずれかに記載のルアー。
【発明の詳細な説明】
【０００１】
【発明の属する技術分野】
本発明は、魚釣りに用いるルアーに関する。
【０００２】
【従来の技術】
従来のルアーには、外形を魚体に似せた中空のプラスチック製ルアー本体と、ルアー本体頭部に設けられたライン（釣糸）を係止可能な釣糸係止部と、ルアー本体の腹部及び尾部に連結されたフック（釣針）とを有している。また、ルアー本体内部には複数の金属製小球が配置されている。
【０００３】
この種の従来のルアーは、水中にキャスティングした後に釣糸を巻き取りながらリトリーブすると、ルアー本体内部に配置された金属製小球同士が衝突して金属音（以下「ラトル音」という）を発生する。そして、この金属音が魚をおびき寄せる。
【０００４】
【発明が解決しようとする課題】
従来のルアーのように「ラトル音」を発生するルアーは、好奇心の強い魚に対しては有効であるが、音に興味を示さない魚に対しては十分アピールできない。むしろ、ルアーが発生したラトル音を警戒して魚が逃げてしまう場合もある。本発明の課題は、魚の興味を引きつけて魚に十分にアピール可能なルアーを提供することにある。
【０００５】
【課題を解決するための手段】
本発明者は上記課題を鑑み鋭意調査を行った結果、音を発生させるのではなく水中で水流を発生させて水を振動させると、魚がこの水流及びこの水流によって生じる振動に興味を示すことを見出した。本発明は、上記知見に基づくものである。
【０００６】
発明１に係るルアーは、魚釣りに用いるルアーであって、ルアー本体と、ルアー本体に形成され水流を受けてルアー本体を左右に振らせる水受部と、ルアー本体の幅方向に貫通し且つ幅方向に平行に形成され水が通過可能な孔部とを備えている。
【０００７】
この場合には、水中にキャスティングした後、釣糸を巻き取りながらルアー本体を水中で引き寄せて泳動させると、水がルアー本体に幅方向に貫通するように形成された孔部を通過して水流が発生する。また、この水流は水中で周囲の水を震動させる。そして、この水流自体及び水流が発生する震動が魚に強くアピールして魚をおびき寄せる。なお、孔部を水が通過する際に、この水流がルアー本体自体も震動させるので、ルアー本体が様々なアクションを起こし、このアクションも魚に強くアピールする。
【０００８】
発明２に係るルアーは、発明１のルアーであって、ルアー本体は魚に似せて形成された薄板状部材であり、水受部はルアー本体頭部に形成されている。
【０００９】
この場合には、ルアーを水中でリトリーブすると、ルアー頭部に形成された水受部が水流を受けて薄板状のルアー本体が幅方向に振動する。そしてルアー本体の左右への振動とともに、水が幅方向に貫通した孔部を通過する。この結果、ルアー本体の幅方向に水流が発生するとともに周囲の水に振動が生じ、この水流及び振動が魚に強くアピールする。
【００１０】
第３発明に係るルアーは、第１発明または第２発明のルアーであって、孔部は、ルアー本体の幅方向に平行に複数並んで形成されている。
【００１１】
第４発明に係るルアーは、第１発明から第３発明のいずれかのルアーであって、孔部は、ルアー本体の腹部と背部とにそれぞれ設けられている。
【００１２】
第５発明に係るルアーは、第１発明から第３発明のいずれかのルアーであって、ルアー本体は中空であり、孔部は、ルアー本体の腹部において中空部分の下方を幅方向に貫通している。
【００１３】
【発明の実施の形態】
［第１実施形態］
本発明の第１実施形態を採用したルアーを、図面を参照しつつ説明する。本発明の第１実施形態を採用したルアーは、図１に示すように、外形を魚に似せて形成されたプラスチック製のルアー本体１と、ルアー本体１の頭部に設けられライン（釣糸）を係止可能な釣糸係止部２と、ルアー本体１の中央から頭部よりの下面及び尾部にそれぞれ設けられたアイ３，４とを有している。これらアイ３，４にはスプリットリング５，６を介してフック（釣針）７，８が装着されている。
【００１４】
ルアー本体１は、図２及び図３に示すように内部に中空部１００を有する中空部材である。左右対称な一対の半割り部材を開口側で張り合わせて接着剤等で接着し固定したものである。この開口面には釣糸係止部２及びアイ３，４をはめ込んで固定可能な固定部（図示せず）が形成されている。そして、腹部付近及び尾部付近の中空部１００の一部は区分されており、この区分された中空部１００の一部にそれぞれ錘９が配置されている。また、ルアー本体１の外面は魚に似せて鱗や鰓などが描かれている。
【００１５】
ルアー本体１の腹部底面付近から尾府付近にかけては、幅方向に貫通した複数の孔部１０が並んで形成されている。この孔部１０は中空部１００からそれぞれ独立して形成されている。
【００１６】
なお、孔部１０の数はルアー本体１の大きさに合わせて適宜変更可能である。さらに、ルアー本体１の頭部付近は、図４に示すように、平面状に加工されており頭部方向からの水を受け止め可能な水受部１ａとなっている。
【００１７】
このように構成されたルアーでは、釣糸係止部２に釣糸を係止して水中にキャスティングした後、釣糸を巻き取りながらルアーを水中で泳動させる。このとき、ルアー頭部に形成された水受部１ａが水流を受けてルアー本体１が幅方向に振動する。このルアー本体１の振動にともなって、ルアー本体１に形成された孔部１０を水が通過して水流が発生する。また、この水流は水中で周囲の水を震動させる。そして、この水流自体及び水流が発生する震動が魚に強くアピールする。
【００１８】
［第２実施形態］
以下、本発明の第２実施形態について図面を参照しつつ説明する。本発明の第２実施形態を採用したルアーは、図５及び図６に示すように、外形を魚に似せて形成した鉛製のルアー本体５１と、ルアー本体５１の頭部から尾部に渡って設けられたワイヤ部材６０と、ワイヤ部材６０の一端に設けられライン（釣糸）を係止し得る釣糸係止部５２と、ワイヤ部材６０の他端に設けられたアイ５３とを有している。そして、このアイ５３にはスプリットリング５４を介してフック（釣針）５５が装着されている。
【００１９】
このルアー本体５１は薄板状の部材である。そして、ルアー本体５１の腹部底面付近から尾部付近及び背部付近から尾部付近にかけては、それぞれ幅方向に貫通した複数の孔部１０が並んで形成されている。
【００２０】
このように構成されたルアーでは、水中にキャスティングした後、釣糸を巻き取りながらリトリーブすると、ルアー本体５１はルアー本体５１の左右を流れる水から力を受けて左右に微妙に振動する。ルアー本体５１の左右への振動にともなって、水がルアー本体５１に形成された孔部１０を通過して水流が発生し、また、この水流は水中で周囲の水を震動させる。そして、この水流自体及び水流が発生する震動が魚に強くアピールし魚をおびき寄せる。
【００２１】
［他の実施形態］
（ａ）ルアー本体に設ける孔部の位置や数は特に限定されるものではない。ルアー本体の形状や材質に応じて、適宜設計変更可能である。
【００２２】
（ｂ）ルアー本体内部に金属製小球等を配置してラトル音を発生するようにしてもよい。
【００２３】
【発明の効果】
本発明に係るルアーによれば、ルアー本体に設けられた孔部を水が通過する際に水流を発生し、また周囲の水を振動させるので、魚に対して十分にアピールできる。
【図面の簡単な説明】
【図１】  本発明の第１実施形態を採用したルアーの全体図。
【図２】  図１のII-II断面図。
【図３】  図１の長さ方向の断面図。
【図４】  図１のルアーの正面図。
【図５】  本発明の第２実施形態を採用したルアーの全体図。
【図６】  図５のVI−VI断面図。
【符号の説明】
１，５１ ルアー本体
１ａ 水受部
２，５２ 釣糸係止部
１０ 孔部
６０ ワイヤ部材
【図１】
0003913361.tif 000002
【図２】
0003913361.tif 000003
【図３】
0003913361.tif 000004
【図４】
0003913361.tif 000005
【図５】
0003913361.tif 000006
【図６】
0003913361.tif 000007